(57)【要約】  本発明は、共用物理チャネルを使用していくつかのデータ・ストリームを様々な受信機（１２０ａ〜１２０ｃ、４００）との間で伝送することが可能な通信システムにおける方法及び構成に関する。この方法は、同時にスケジューリングされる受信機の数に関する受信機ＩＤに対応する様々な系列で制御チャネルをマスキングするステップを含む。【選択図】  図１
2011502391.tif 000002
【特許請求の範囲】
【請求項１】
共用物理チャネルを使用していくつかのデータ・ストリームを様々な受信機（１２０ａ〜１２０ｃ、４００）との間で伝送することが可能な通信システムにおける方法であって、同時にスケジューリングされる受信機の数に関する受信機ＩＤに対応する様々な系列で共用制御チャネルをマスキングするステップを含む方法。
【請求項２】
前記制御チャネルの制御データを各受信機を一意に識別する系列でコーディングするステップを含む、請求項１に記載の方法。
【請求項３】
前記データ・ストリームが単一の受信機に送信されるときは第１の系列が使用され、別のストリームが第２の受信機についてスケジューリングされるときは第２の系列が前記制御データのコーディングに使用され得るように、少なくとも２つの系列を割り振るステップを更に含む、請求項２に記載の方法。
【請求項４】
各受信機と、少なくとも２つのＨＳ‐ＤＳＣＨ無線ネットワーク・トランザクション識別子（Ｈ‐ＲＮＴＩ）とを関連付けるステップを更に含む、請求項３に記載の方法。
【請求項５】
１つのＨＳ‐ＤＳＣＨ無線ネットワーク・トランザクション識別子（Ｈ‐ＲＮＴＩ）から様々な受信機マスキング系列を導出するステップを更に含む、請求項３に記載の方法。
【請求項６】
第１のパートと第２のパートとを備える制御チャネル・データ構造を修正するステップを含み、前記第１のパート内のコーディングは、単一の受信機に対する送信であるのかそれとも複数の受信機に対する送信であるのかに応じて異なる、請求項２に記載の方法。
【請求項７】
単一の受信機に対する送信であるのかそれとも複数の受信機に対する送信であるのかに応じて異なるＣＲＣマスキングを含む前記第２のパートを修正するステップを含む、請求項６に記載の方法。
【請求項８】
共用チャネルを使用していくつかのデータ・ストリームを様々な受信機との間で伝送することが可能な通信システムで使用されるデータ構造（２００）であって、第１のパート（２０１）と、第２のパート（２０２）と、を備え、前記第１のパート（２０１）は、単一の受信機に対する送信であるのかそれとも複数の受信機に対する送信であるのかに応じて異なるコーディング・データを含むことを特徴とする、データ構造。
【請求項９】
前記第２のパートは、単一の受信機に対する送信であるのかそれとも複数の受信機に対する送信であるのかに応じて異なるＣＲＣマスキングを含む、請求項８に記載のデータ構造。
【請求項１０】
共用物理チャネルを使用していくつかのデータ・ストリームを様々な受信機との間で伝送することが可能な通信ネットワークのインフラストラクチャ・ノード内のコーディング構成（２００）であって、第２のチャネル・コーディング用論理ブロック（３０４）と通信する受信機固有のＣＲＣアタッチメント用論理ブロック（３０３）と通信する冗長／コンステレーション・バージョン・コーディング（ＲＶコーディング）用論理ブロック（３０１）を備え、前記第２のチャネル・コーディング用論理ブロックの出力は、第１のチャネル・コーディング・ブロック（３０６）に接続された第１のレート・マッチング論理ブロック（３０７）と通信する受信機固有のマスキング・ロジック（３０８）に接続されたチャネル・マッピング構成（３０９）に接続された第２のレート・マッチング論理ブロック（３０５）に入力され、前記コーディング構成（３００）は、並列送信ストリームの数に基づいてユーザ機器（ＵＥ）と少なくとも２つのＨＳ‐ＤＳＣＨ無線ネットワーク・トランザクション識別子（Ｈ‐ＲＮＴＩ）とを関連付けるように構成された論理ユニット（３１０）を更に備えることを特徴とする、コーディング構成。
【請求項１１】
１つのＨ‐ＲＮＴＩから様々なＵＥマスキング系列が導出される、請求項１０に記載の構成。
【請求項１２】
１つのストリームが単一のＭＩＭＯユーザにスケジューリングされているかどうかを検出する手段と、１つの特定のマスキングを生成する手段と、第２のストリームが別のＵＥにスケジューリングされている場合は第２のＵＥマスキングを適用する手段と、を更に備える、請求項１０に記載の構成。
【請求項１３】
ＭＩＭＯ動作ネットワーク内の基地局（１１０）であって、請求項１０乃至１２のいずれかに記載の構成を備える基地局。
【請求項１４】
ユーザ・デバイス（１２０ａ〜１２０ｃ、４００）であって、前記ユーザ・デバイスを操作する命令セットを実行するように構成された処理ユニット（４０１）と、メモリ・ユニット（４０２、４０３）と、ユーザ・インターフェース・ユニット（４０４）と、通信ネットワークと通信する通信インターフェース（４０５）と、を備え、前記処理ユニットは、前記通信インターフェース（４０５）によって受信されるデータ・ストリーム内のコード再利用干渉の内部処理を検出するように構成され、それにより、前記プロセッサは、前記ストリームの一部のマスキングを分析し、正しいユーザ・デバイス重みを計算し、制御データをどのように処理すべきかを決定するように更に構成されることを特徴とする、ユーザ・デバイス。
【請求項１５】
前記ストリームは、同時にスケジューリングされるユーザ・デバイスの数に対応した前記ユーザ・デバイスのＩＤに対応する様々な系列でマスキングされるマスキング制御チャネルを含む、請求項１４に記載のユーザ・デバイス。
【請求項１６】
前記ＩＤは、ＨＳ‐ＤＳＣＨ無線ネットワーク・トランザクション識別子（Ｈ‐ＲＮＴＩ）である、請求項１５に記載のユーザ・デバイス。
【請求項１７】
前記マスキングは更に、１つのＨＳ‐ＤＳＣＨ無線ネットワーク・トランザクション識別子（Ｈ‐ＲＮＴＩ）に由来する様々なユーザ・デバイス・マスキング系列から導出される、請求項１５に記載のユーザ・デバイス。
【請求項１８】
前記処理ユニットは、第１のパートと第２のパートとを備える制御チャネル・データ構造を処理するように構成され、前記第１のパート内のコーディングは、単一のユーザ・デバイスに対する送信であるのかそれとも複数のユーザ・デバイスに対する送信であるのかに応じて異なる、請求項１５に記載のユーザ・デバイス。
【発明の詳細な説明】
【技術分野】
【０００１】
本発明は、通信システムにおける方法及び構成に関し、特に、例えばマルチ・ユーザＭＩＭＯにおける物理チャネル及び共用制御チャネルを使用していくつかのデータ・ストリームを様々な受信機との間で伝送することが可能なシステムに関する。
【背景技術】
【０００２】
複数入力複数出力（ＭＩＭＯ）は、将来の無線通信システムの有望な技術である。ＭＩＭＯシステムは、複数の送受信アンテナによって作成される多次元無線チャネルを利用することにより無線通信のチャネル容量及びリンク頑強性を大幅に高めるものであり、将来的な多数の無線通信規格（例えばＷｉＭＡＸ（登録商標）、３ＧＰＰ  ＬＴＥ等）で広く採用されている。
【０００３】
図１は、基地局１１０と、基地局１１０のアンテナ１１５と、複数のアンテナ１２５がそれぞれに装備されたいくつかのユーザ機器（ＵＥ）１２０ａ〜１２０ｃと、を含むマルチ・ユーザＭＩＭＯシステム１００を示す。
【０００４】
マルチ・ユーザＭＩＭＯ（ＭＵ‐ＭＩＭＯ）システムでは、単一の基地局１１０が複数のＵＥ１２０ａ〜１２０ｃに対して同じ周波数帯域で同時に送信を実行し、それにより、従来のＴＤＭＡやＦＤＭＡのような他のマルチ・アクセス（ＭＡＣ）方式と比較して、合計データ転送速度が実質的に高められ、モバイル・ユーザのレイテンシが短縮される。無線システムへのＭＵ‐ＭＩＭＯの導入によって達成可能な利得は、将来の無線ネットワークのスペクトル効率の向上に大きな役割を果たすことが予想される。
【０００５】
ＭＵ‐ＭＩＭＯは、無線通信システムの容量を改善する１つの手法である。１つのユーザとの間でいくつかの変調データ・ストリームが伝送されるシングル・ユーザＭＩＭＯ（ＳＵ‐ＭＩＭＯ）の場合とは対照的に、ＭＵ‐ＭＩＭＯは、複数のユーザとの間で１つ（又は複数の）データ・ストリームの送信（又は受信）を行うことによって機能する。すべてのデータ・ストリームは、同じ物理リソース（時間、周波数、コード・リソース等）を使用する。
【０００６】
ＷＣＤＭＡ規格の現行バージョン、例えばＲｅＩ．７は、デュアル・ストリーム送信によるＭＩＭＯ動作をサポートする。それ故、２つの変調データ・ストリームをユーザに並列送信することができ、したがって２８Ｍｂｐｓのピーク・データ転送速度が実現される。これは、送信データ・ストリーム毎に高速物理ダウンリンク共用チャネル（ＨＳ‐ＰＤＳＣＨ）の拡散コードを再利用することによって達成される。
【０００７】
また、２つのユーザが同じＴＴＩ（送信時間間隔）内に同じ拡散コード・セットを使用するようにスケジューリングすることも可能である。それ故、ＭＵ‐ＭＩＭＯ動作がサポートされる。この場合は、各ユーザにつき１つのストリーム（又はトランスポート・ブロック）のみをスケジューリングすることができる。
【０００８】
これは、各ユーザを固有の制御チャネルでアドレス指定し、それによって各ユーザに１つの高速共用制御チャネル（ＨＳ‐ＳＣＣＨ）が送信されるようにすることで実現され得る。
【０００９】
拡散コードは送信データ・ストリーム間で再利用されるので、デュアル・ストリーム送信が実行される場合は、すべてのＴＴＩにコード再利用（ＣＲ）干渉期間が存在することになる。この干渉期間は、ＳＵ‐ＭＩＭＯ動作であるのかＭＵ‐ＭＩＭＯ動作であるのかを問わず発生する。ＳＵ‐ＭＩＭＯ動作の場合には、この情報は、制御チャネル情報の形で端末に送られるため、端末に知らされることになる。
【００１０】
２つの送信データ・ストリームが２つの異なるユーザに関するものである場合、即ちＭＵ‐ＭＩＭＯ動作が使用される場合には、各共用制御チャネルが各ユーザに単一のストリームのみがスケジューリングされることを指示するため、上記のような情報がＵＥに知らされることはない。
【００１１】
この状況は、スケジューラによってある程度補償される可能性がある。２つのユーザを並行してスケジューリングする場合は、適正な確率の正しい検出を得るために各ユーザに対するデータ転送速度を低下させることができる。ここでの問題は、スケジューラがユーザ毎にどの程度のバック・オフが必要となるかを認識していないことである。
【００１２】
また、ユーザは、すべての制御チャネル、即ち他のユーザに関する制御チャネルも読み取る必要があり、その情報から別のデータ・ストリームがスケジューリングされているか否かを推論する必要がある。無論、これによってＵＥの負担が増加し、システムの複雑さも高まる。
【００１３】
更に、ユーザの制御チャネルはユーザ毎に別々に電力制御されるので、他のユーザの制御チャネルが必ずしも常に信頼性のある形で復号化されるとは限らない可能性もある。
【発明の概要】
【００１４】
本発明の一利点は、ＵＥが別のユーザに関して同時にスケジューリングされた別のデータ・ストリームが存在するかどうかを識別することが可能となることである。この同時にスケジューリングされたデータ・ストリームは、ストリーム内干渉を高めることになるが、後に適切な受信機処理によって緩和あるいは解消され得る。これにより、ネットワークがトランスポート・フォーマットを控えめに見積もる必要がなくなるので、システム・スループットが高まる。
【００１５】
これらの利点は、共用物理チャネルを使用していくつかのデータ・ストリームが様々な受信機との間で伝送される方法を使用して実現される。前記方法は、同時にスケジューリングされる受信機の数に関する、受信機ＩＤに対応する様々な系列で共用制御チャネルをマスキングするステップを含む。一実施形態によれば、各受信機を一意に識別する系列を利用して制御データのコーディングが行われる。一実施形態に係る本発明は、前記データ・ストリームが単一の受信機に送信されるときは第１の系列が使用され、別のストリームが第２の受信機についてスケジューリングされるときは第２の系列が前記制御データのコーディングに使用され得るように、少なくとも２つの系列を割り振ることも可能にする。各受信機は、少なくとも２つのＨＳ‐ＤＳＣＨ無線ネットワーク・トランザクション識別子（Ｈ‐ＲＮＴＩ）と関連付けられることが好ましい。しかしながら、１つのＨＳ‐ＤＳＣＨ無線ネットワーク・トランザクション識別子（Ｈ‐ＲＮＴＩ）から様々な受信機マスキング系列を導出することも可能である。一実施形態では、第１のパートと第２のパートとを備える制御チャネル・データ構造が修正され、前記第１のパート内のコーディングは、単一の受信機に対する送信であるのかそれとも複数の受信機に対する送信であるのかに応じて異なり、前記第２のパートは、単一の受信機に対する送信であるのかそれとも複数の受信機に対する送信であるのかに応じて異なるＣＲＣマスキングによって修正され得る。
【００１６】
本発明は、共用チャネルを使用していくつかのデータ・ストリームを様々な受信機との間で伝送することが可能な通信システムで使用されるデータ構造に関するものでもある。前記データ構造は、第１のパートと、第２のパートと、を備え、前記第１のパートは、単一の受信機に対する送信であるのかそれとも複数の受信機に対する送信であるのかに応じて異なるコーディング・データを含む。別の実施形態に係るデータ構造では、前記第２のパートは、単一の受信機に対する送信であるのかそれとも複数の受信機に対する送信であるのかに応じて異なるＣＲＣマスキングを含む。
【００１７】
本発明は、共用物理チャネルを使用していくつかのデータ・ストリームを様々な受信機との間で伝送することが可能な通信ネットワークのインフラストラクチャ・ノード内のコーディング構成に関するものでもある。前記構成は、第２のチャネル・コーディング用論理ブロックと通信する受信機固有のＣＲＣアタッチメント用論理ブロックと通信する冗長／コンステレーション・バージョン・コーディング（ＲＶコーディング）用論理ブロックを備え、前記第２のチャネル・コーディング用論理ブロックの出力は、第１のチャネル・コーディング・ブロックに接続された第１のレート・マッチング論理ブロックと通信する受信機固有のマスキング・ロジックに接続されたチャネル・マッピング構成に接続された第２のレート・マッチング論理ブロックに入力される。前記コーディング構成は、並列送信ストリームの数に基づいてユーザ機器（ＵＥ）と少なくとも２つのＨＳ‐ＤＳＣＨ無線ネットワーク・トランザクション識別子（Ｈ‐ＲＮＴＩ）とを関連付けるように構成された論理ユニットを更に備える。一実施形態では、１つのＨ‐ＲＮＴＩから様々なＵＥマスキング系列が導出される。前記構成は、１つのストリームが単一のＭＩＭＯユーザにスケジューリングされているかどうかを検出する手段と、１つの特定のマスキングを生成する手段と、第２のストリームが別のＵＥにスケジューリングされている場合は第２のＵＥマスキングを適用する手段と、を更に備えることができる。
【００１８】
本発明は、ＭＩＭＯ動作ネットワーク内の基地局であって、上述のコーディング構成を備える基地局に関するものでもある。
【００１９】
本発明は、ユーザ・デバイスであって、前記ユーザ・デバイスを操作する命令セットを実行するように構成された処理ユニットと、メモリ・ユニットと、ユーザ・インターフェース・ユニットと、通信ネットワークと通信する通信インターフェースと、を備えるユーザ・デバイスに関するものでもある。前記処理ユニットは、前記通信インターフェースによって受信されるデータ・ストリーム内のコード再利用干渉の内部処理を検出するように構成される。前記プロセッサは、前記ストリームの一部のマスキングを分析し、正しいユーザ・デバイス重みを計算し、制御データをどのように処理すべきかを決定するように更に構成される。前記ストリームは、同時にスケジューリングされるユーザ・デバイスの数に対応した、前記ユーザ・デバイスのＩＤに対応する様々な系列でマスキングされるマスキング制御チャネルを含むことができる。前記ＩＤは、最も好ましくはＨＳ‐ＤＳＣＨ無線ネットワーク・トランザクション識別子（Ｈ‐ＲＮＴＩ）である。しかしながら、前記マスキングは、１つのＨＳ‐ＤＳＣＨ無線ネットワーク・トランザクション識別子（Ｈ‐ＲＮＴＩ）に由来するユーザ・デバイス・マスキング系列から導出され得る。更に、前記処理ユニットは、第１のパートと第２のパートとを備える制御チャネル・データ構造を処理するように構成することができ、前記第１のパート内のコーディングは、単一のユーザ・デバイスに対する送信であるのかそれとも複数のユーザ・デバイスに対する送信であるのかに応じて異なる可能性がある。
【図面の簡単な説明】
【００２０】
以下では例示的な諸実施形態が図示される添付図面を参照して、本発明について更に詳細に説明する。
【００２１】
【図１】ＭＵ‐ＭＩＭＯの概略ブロック図である。
【図２】ＨＳ‐ＳＣＣＨ構造の概略図である。
【図３】本発明に係るＨＳ‐ＳＣＣＨコーディング・チェーンのブロック図である。
【図４】本発明に係るユーザ機器のブロック図である。
【発明を実施するための形態】
【００２２】
以下では本発明をＨＳＰＡの文脈で説明するが、本発明はＬＴＥにも等しく適用可能である。制御チャネル構造は異なるが、本明細書に記載の原理は任意の制御チャネル構造に容易に適合させ得ることに留意していただきたい。一般的なＭＵ‐ＭＩＭＯ構造を示す図１も参照していただきたい。
【００２３】
本発明は基本的に、制御チャネルが各端末に一意の系列でスクランブル又はコーディングされることに基づく。各ユーザに少なくとも２つの系列が割り振られる場合は、一方の系列は、当該ユーザに１つのデータ・ストリームだけが送信されるとき、即ちＳＵ‐ＭＩＭＯ動作を行うときに使用することができ、他方の系列は、別の系列が別のユーザに関して同時にスケジューリングされるときに制御データをスクランブルするのに使用することができる。
【００２４】
図２は、高速ダウンリンク・パケット・アクセス（ＨＳＤＰＡ）で使用されるダウンリンク（ＤＬ）制御チャネル（ＨＳ‐ＳＣＣＨ）の構造を概略的に示す。制御チャネルの詳細は、ＭＩＭＯモードで動作するＵＥとＭＩＭＯモードで動作しないＵＥとで多少異なる可能性もあることに留意していただきたい。
【００２５】
この制御チャネルの第１のパート２０１は、使用される実際のコード・セットに関する情報、各ストリームの変調順序、スケジューリングされるストリーム数、及び使用されるプレコーディング重みを搬送する。
【００２６】
第２のパート２０２のデータは、トランスポート・ブロック・サイズ（ＴＢＳ）、ハイブリッド自動再送要求（ＨＡＲＱ）関連パラメータ、及びＵＥ固有の巡回冗長検査（ＣＲＣ）に関する情報を含む。
【００２７】
図３は、例えば図１の基地局１１０におけるＭＩＭＯ動作で使用される本発明に係るＨＳ‐ＳＣＣＨジェネレータ３００のブロック図である。図３は、制御チャネル情報の第１のパート（パートＩ）がＵＥＩＤでマスクされる様子を示す。また、ＵＥ固有のＣＲＣは、パートＩＩ内のＴＢＳ及びＨＡＲＱ関連ビットに追加される。
【００２８】
ＵＥ固有のマスキングとＵＥ固有のＣＲＣは共に、同じＨＳ‐ＤＳＣＨ無線ネットワーク識別子（Ｈ‐ＲＮＴＩ）から導出可能である。
【００２９】
図３を参照すると、ＨＳ‐ＳＣＣＨ物理チャネルを利用して以下の情報が送信される。
・チャネル化コード・セット情報（Ｃｈａｎｎｅｌｉｚａｔｉｏｎ‐ｃｏｄｅ‐ｓｅｔ  ｉｎｆｏｒｍａｔｉｏｎ）：Ｘｃｃｓ
・変調方式及びトランスポート・ブロック数情報（Ｍｏｄｕｌａｔｉｏｎ  ｓｃｈｅｍｅ  ａｎｄ  ｎｕｍｂｅｒ  ｏｆ  ｔｒａｎｓｐｏｒｔ  ｂｌｏｃｋｓ  ｉｎｆｏｒｍａｔｉｏｎ）：Ｘｍｓ
・プレコーディング重み情報（Ｐｒｅｃｏｄｉｎｇ  ｗｅｉｇｈｔ  ｉｎｆｏｒｍａｔｉｏｎ）：Ｘｐｗｉｐｂ
・トランスポート・ブロック・サイズ情報（Ｔｒａｎｓｐｏｒｔ‐ｂｌｏｃｋ  ｓｉｚｅ  ｉｎｆｏｒｍａｔｉｏｎ）：Ｘｔｂｓｐｂ
・２次トランスポート・ブロック用トランスポート・ブロック・サイズ情報（Ｔｒａｎｓｐｏｒｔ‐ｂｌｏｃｋ  ｓｉｚｅ  ｉｎｆｏｒｍａｔｉｏｎ  ｆｏｒ  ｔｈｅ  ｓｅｃｏｎｄａｒｙ  ｔｒａｎｓｐｏｒｔ  ｂｌｏｃｋ）：Ｘｔｂｓｓｂ
・ハイブリッドＡＲＱプロセス情報（Ｈｙｂｒｉｄ‐ＡＲＱ  ｐｒｏｃｅｓｓ  ｉｎｆｏｒｍａｔｉｏｎ）：Ｘｈａｐ
・冗長／コンステレーション・バージョン（Ｒｅｄｕｎｄａｎｃｙ  ａｎｄ  ｃｏｎｓｔｅｌｌａｔｉｏｎ  ｖｅｒｓｉｏｎ）：Ｘｒｖｐｂ
・２次トランスポート・ブロック用冗長／コンステレーション・バージョン（Ｒｅｄｕｎｄａｎｃｙ  ａｎｄ  ｃｏｎｓｔｅｌｌａｔｉｏｎ  ｖｅｒｓｉｏｎ  ｆｏｒ  ｔｈｅ  ｓｅｃｏｎｄａｒｙ  ｔｒａｎｓｐｏｒｔ  ｂｌｏｃｋ）：Ｘｒｖｓｂ
・ＵＥＩＤ（ＵＥ  ｉｄｅｎｔｉｔｙ）：Ｘｕｅ
【００３０】
図３の上から順に説明すると、コーティング・チェーン構成３００は、パートＩＩ内の冗長バージョン（ＲＶ）パラメータｒ、ｓ、及びコンステレーション・バージョン・パラメータｂを使用した冗長／コンステレーション・バージョン・コーディング（ＲＶコーディング３０１）から開始する。これらの各パラメータを一緒にコーディングすることによって値Ｘｒｖｐｂ及びＸｒｖｓｂが生成される。
【００３１】
チャネル化コード・セット情報と、変調方式及びトランスポート・ブロック数情報と、プレコーディング重み情報とは、ＭＵＸ１３０２’で多重化され、その結果Ｘ１が得られる。
【００３２】
各ＲＶコーディングの結果と、トランスポート・ブロック・サイズ情報と、２次トランスポート・ブロック用トランスポート・ブロック・サイズ情報と、ＨＡＲＱプロセス情報とは、マルチプレクサＭＵＸ２３０２’’で多重化され（Ｘ２）、ＵＥＩＤ及びＸ１と共にＵＥ固有のＣＲＣアタッチメント３０３に提供される。ＵＥ固有のＣＲＣアタッチメントから得られる信号Ｙは、チャネル・コーディング・ブロック２３０４でコーディングされ、レート・マッチング・ブロック２３０５に提供され、その結果信号Ｒ２が得られる。
【００３３】
第１のパートでは、Ｘ１は、チャネル・コーディング・ブロック１３０６に提供され、その結果がレート・マッチング・ブロック１３０７に提供されることによってＲ１が得られる。Ｒ１は、ＵＥＩＤと共にＵＥ固有のマスキング・ブロック３０８に提供される。レート・マッチング・ブロック２及びＵＥ固有のマスキング・ブロックの各結果は、物理チャネル・マッピング用ブロック３０９に提供され、その結果ＨＳ‐ＳＣＣＨが得られる。
【００３４】
本発明によれば、各ＵＥは、少なくとも２つの一意の識別子と関連付けられ、好ましい一実施形態ではＨＳ‐ＤＳＣＨ無線ネットワーク・トランザクション識別子（Ｈ‐ＲＮＴＩ）と関連付けられ、又は様々なＵＥマスキング系列が１つのＨ‐ＲＮＴＩから導出される。これは、図３のブロック３１０で実行される。一方のストリームが単一のＭＩＭＯユーザにスケジューリングされている場合は、１つの特定のマスキングが使用され、他方のストリームが別のユーザにスケジューリングされている場合は、２つ目のＵＥマスキングが適用される。このようにして、ＵＥは、コード再利用干渉を処理すべきか否かを識別することができる。
【００３５】
好ましい一実施形態では、ＳＵ‐ＭＩＭＯとＭＵ‐ＭＩＭＯとでＨＳ‐ＳＣＣＨの少なくとも第１のパート内のマスキングは異なるが、パートＩＩ内のＣＲＣマスキングは不変である、あるいは同じルールに従う可能性がある。パートＩ内のマスキングを使用することにより、受信機は、実際のＨＳ‐ＰＤＳＣＨ送信が開始されるまでに正しい受信機重みを計算する一定の時間を確保することになる。
【００３６】
別の制御チャネル構造に適用される別の実施形態では、例えば１つ、２つ、又は３つ以上の同時にスケジューリングされた各ユーザに対応する様々なＵＥＩＤで制御チャネル全体をマスキングすることができる。
【００３７】
受信機サイト、即ちＵＥ側では、受信機は、コード再利用干渉を処理すべきか否かを検査する。この検査は、第１のパート内のマスキングを使用することにより、ＵＥが場合によってはコード再利用干渉の影響を含めた正しい受信機重みを計算することによって実行されることが好ましい。可能なストリーム内干渉に関して先に説明したマスキング系列から抽出される情報に基づいて、ＵＥは、単一の受信機であるのかそれとも他の受信機が同じ物理チャネルを共用しているかどうかを検出する。
【００３８】
図４には、ＵＥの概略ブロック図が示される。ユーザ機器４００は、それ自体の通信部分を操作する命令セットを実行するように構成された処理ユニット４０１（例えばプロセッサ）を備える。プロセッサ４０１は、揮発性又は不揮発性ソリューション（例えばＲＡＭ又はフラッシュ・メモリ）の少なくとも１つのメモリ・ユニット４０２、４０３を使用することができる。ユーザ・インターフェース・ユニット４０４は、任意の適切なタイプのユーザ・インターフェース機器（例えばキーボード、キーパッド、及び／又は他のタイプのボタン、あるいは音声制御ソリューション等）を使用してユーザ機器のユーザと対話することができる。ユーザ機器４００は、アンテナ４０７を使用して通信ネットワークと通信する通信インターフェース４０５を有するように構成することができ、更に、外部又は内部のユニット又はデバイスと通信する別個の通信インターフェース４０６を有するように構成することもできる。別個の通信インターフェース４０６は、例えばユーザ機器４００がラップトップの一部である場合は、通信ネットワークとラップトップ内の任意のアプリケーションとの間で情報を媒介する内部ラップトップ処理及び通信部分と接続することができる。
【００３９】
１つ（又は複数）の命令セットは、製造時にユーザ機器に組み込まれても、電気通信ネットワークとの間の無線通信リンクを使用してダウンロードされてもよく、また、例えば必ずしもそれだけに限定されるわけではないが、移動電話とＰＣ（図示せず）との間の同期リンク、ラップトップと通信ネットワーク（例えばインターネット）との間のＴＣＰ／ＩＰリンク、例えばインターネットに接続されるＰＤＡとＰＣとの間の無線リンク（例えばＢｌｕｅｔｏｏｔｈ（登録商標）、８０２．１１、８０２．１５、又は８０２．１６シリーズ無線通信プロトコルのうちの少なくとも１つを使用）等の通信ネットワークとの間の別のリンクを使用してダウンロードされてもよい。
【００４０】
受信機サイト、即ちＵＥ側では、ＵＥは、コード再利用干渉を処理すべきか否かを検査する。この検査は、第１のパート内のマスキングを使用することにより、ＵＥが場合によってはコード再利用干渉の影響を含めた正しい受信機重みを計算することによって実行されることが好ましい。このマスキングに基づいて、ＵＥは、単一の受信機であるのかそれとも他の受信機が同じ物理チャネルを共用しているのかを認識する。
【００４１】
ＵＥ４００は、通信インターフェース４０５を利用してネットワークからの情報を制御チャネル上で受信する。この情報は、例えばＨＳ‐ＳＣＣＨの第１のパート内のマスキングを使用することによってコード再利用干渉を処理すべきか否かを検査するのにも使用され得るプロセッサ４０１を利用して処理される。このプロセッサは更に、正しい受信機重みを計算し、先述の制御データをどのように処理すべきかを決定することもできる。
【００４２】
特定のネットワーク規格に特有の用語は、諸実施形態の例として与えられるものであり、同じ機能を有するエンティティ及びアイテムに関する同様の表現を本発明から排除するものではないことに留意していただきたい。
【図４】
2011502391.tif 000003
【図１】
2011502391.tif 000004
【図２】
2011502391.tif 000005
【図３】
2011502391.tif 000006
【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
共用物理チャネルを使用していくつかのデータ・ストリームを様々な受信機（１２０ａ〜１２０ｃ、４００）との間で伝送することが可能な通信システムにおける方法であって、同時にスケジューリングされる受信機の数に関する受信機ＩＤに対応する様々な系列で共用制御チャネルをマスキングするステップを含む方法。
【請求項２】
前記制御チャネルの制御データを各受信機を一意に識別する系列でコーディングするステップを含む、請求項１に記載の方法。
【請求項３】
前記データ・ストリームが単一の受信機に送信されるときは第１の系列が使用され、別のストリームが第２の受信機についてスケジューリングされるときは第２の系列が前記制御データのコーディングに使用され得るように、少なくとも２つの系列を割り振るステップを更に含む、請求項２に記載の方法。
【請求項４】
各受信機と、少なくとも２つのＨＳ‐ＤＳＣＨ無線ネットワーク・トランザクション識別子（Ｈ‐ＲＮＴＩ）とを関連付けるステップを更に含む、請求項３に記載の方法。
【請求項５】
１つのＨＳ‐ＤＳＣＨ無線ネットワーク・トランザクション識別子（Ｈ‐ＲＮＴＩ）から様々な受信機マスキング系列を導出するステップを更に含む、請求項３に記載の方法。
【請求項６】
第１のパートと第２のパートとを備える制御チャネル・データ構造を修正するステップを含み、前記第１のパート内のコーディングは、単一の受信機に対する送信であるのかそれとも複数の受信機に対する送信であるのかに応じて異なる、請求項２に記載の方法。
【請求項７】
単一の受信機に対する送信であるのかそれとも複数の受信機に対する送信であるのかに応じて異なるＣＲＣマスキングを含む前記第２のパートを修正するステップを含む、請求項６に記載の方法。
【請求項８】
共用チャネルを使用し、同時にスケジューリングされる受信機の数に関する受信機ＩＤに対応する様々な系列で共用制御チャネルをマスキングすることによって、いくつかのデータ・ストリームを様々な受信機との間で伝送することが可能な通信システムで使用されるデータ構造（２００）であって、第１のパート（２０１）と、第２のパート（２０２）と、を備え、前記第１のパート（２０１）は、単一の受信機に対する送信であるのかそれとも複数の受信機に対する送信であるのかに応じて異なるコーディング・データを含むことを特徴とする、データ構造。
【請求項９】
前記第２のパートは、単一の受信機に対する送信であるのかそれとも複数の受信機に対する送信であるのかに応じて異なるＣＲＣマスキングを含む、請求項８に記載のデータ構造。
【請求項１０】
共用物理チャネルを使用していくつかのデータ・ストリームを様々な受信機との間で伝送することが可能な通信ネットワークのインフラストラクチャ・ノード内のコーディング構成（２００）であって、第２のチャネル・コーディング用論理ブロック（３０４）と通信する受信機固有のＣＲＣアタッチメント用論理ブロック（３０３）と通信する冗長／コンステレーション・バージョン・コーディング（ＲＶコーディング）用論理ブロック（３０１）を備え、前記第２のチャネル・コーディング用論理ブロックの出力は、第１のチャネル・コーディング・ブロック（３０６）に接続された第１のレート・マッチング論理ブロック（３０７）と通信する受信機固有のマスキング・ロジック（３０８）に接続されたチャネル・マッピング構成（３０９）に接続された第２のレート・マッチング論理ブロック（３０５）に入力され、前記コーディング構成（３００）は、並列送信ストリームの数に基づいてユーザ機器（ＵＥ）と少なくとも２つのＨＳ‐ＤＳＣＨ無線ネットワーク・トランザクション識別子（Ｈ‐ＲＮＴＩ）とを関連付けるように構成された論理ユニット（３１０）を更に備えることを特徴とする、コーディング構成。
【請求項１１】
１つのＨ‐ＲＮＴＩから様々なＵＥマスキング系列が導出される、請求項１０に記載の構成。
【請求項１２】
１つのストリームが単一のＭＩＭＯユーザにスケジューリングされるかどうかを検出する手段と、１つの特定のマスキングを生成する手段と、第２のストリームが別のＵＥにスケジューリングされている場合は第２のＵＥマスキングを適用する手段と、を更に備える、請求項１０に記載の構成。
【請求項１３】
ＭＩＭＯ動作ネットワーク内の基地局（１１０）であって、請求項１０乃至１２のいずれかに記載の構成を備える基地局。
【請求項１４】
ユーザ・デバイス（１２０ａ〜１２０ｃ、４００）であって、前記ユーザ・デバイスを操作する命令セットを実行するように構成された処理ユニット（４０１）と、メモリ・ユニット（４０２、４０３）と、ユーザ・インターフェース・ユニット（４０４）と、通信ネットワークと通信する通信インターフェース（４０５）と、を備え、前記処理ユニットは、前記通信インターフェース（４０５）によって受信されるデータ・ストリーム内のコード再利用干渉の内部処理を検出するように構成され、それにより、前記プロセッサは、前記ストリームの一部のマスキングを分析し、正しいユーザ・デバイス重みを計算し、制御データをどのように処理すべきかを決定するように更に構成され、前記マスキングは、同時にスケジューリングされる受信機の数に関する、受信機ＩＤに対応する様々な系列で、共用制御チャネルをマスキングすることを特徴とする、ユーザ・デバイス。
【請求項１５】
前記ストリームは、同時にスケジューリングされるユーザ・デバイスの数に対応した前記ユーザ・デバイスのＩＤに対応する様々な系列でマスキングされるマスキング制御チャネルを含む、請求項１４に記載のユーザ・デバイス。
【請求項１６】
前記ＩＤは、ＨＳ‐ＤＳＣＨ無線ネットワーク・トランザクション識別子（Ｈ‐ＲＮＴＩ）である、請求項１５に記載のユーザ・デバイス。
【請求項１７】
前記マスキングは更に、１つのＨＳ‐ＤＳＣＨ無線ネットワーク・トランザクション識別子（Ｈ‐ＲＮＴＩ）に由来する様々なユーザ・デバイス・マスキング系列から導出される、請求項１５に記載のユーザ・デバイス。
【請求項１８】
前記処理ユニットは、第１のパートと第２のパートとを備える制御チャネル・データ構造を処理するように構成され、前記第１のパート内のコーディングは、単一のユーザ・デバイスに対する送信であるのかそれとも複数のユーザ・デバイスに対する送信であるのかに応じて異なる、請求項１５に記載のユーザ・デバイス。
【国際調査報告】
2011502391.tif 000007
2011502391.tif 000008
2011502391.tif 000009
2011502391.tif 000010
2011502391.tif 000011
2011502391.tif 000012